(57)【要約】【課題】  大空間でも気流の拡散性に優れ、空調効率が良く、吹出口での騒音の低減を図った空調用吹出口を提供する。【解決手段】  室内空間の天井１４に設置され、直方体状に形成された吹出口ボックス３２を有する。吹出口ボックス３２の一側面に形成されたダクト接続部３８と、吹出口ボックス３２の下面に位置した吹出部４４と、ダクト接続部３８と対面する位置で吹出口ボックス３２内部を部分的にほぼ吹出部４４から分割した鉛直気流調整板７２を備える。鉛直気流調整板７２により分割されたそれぞれの気流方向を偏向するとともに、鉛直気流調整板７２を挟んで互いに対称に各々複数枚配置されたガイドベーン７８を備える。吹出口ボックス３２のダクト接続部３８の下方の内周壁面には、ガイドベーン７８の外側近傍に位置した水平気流調整板７０を有する。【選択図】図１
2006145117.tif 000002
【特許請求の範囲】
【請求項１】
室内空間の天井に設置され直方体状に形成された吹出口ボックスが設けられ、前記吹出口ボックスの一側面に形成されたダクト接続部と、前記吹出口ボックスの下面に位置した吹出部と、前記ダクト接続部と対面する位置で前記吹出口ボックス内部を部分的にほぼ前記吹出部から分割した鉛直気流調整板と、前記鉛直気流調整板に分割されたそれぞれの気流方向を偏向するとともに前記鉛直気流調整板を挟んで互いに対称に各々複数枚配置されたガイドベーンと、前記吹出口ボックスのダクト接続部下方の内周壁面に形成され前記ガイドベーンの外側近傍に位置した水平気流調整板とを備えたことを特徴とする空調用吹出口。
【請求項２】
前記吹出口ボックスを複数のゾーンに仕切った仕切り板を備え、各ゾーン毎に前記ダクト接続部が設けられ、このダクト接続部に給気用のダクトが接続されたことを特徴とする請求項１記載の空調用吹出口。
【請求項３】
前記吹出口ボックスの吹出部内側の一対の角部に、前記ガイドベーンと平行に、前記ガイドベーンからの気流を側方にガイドする偏向板を備えたことを特徴とする請求項１または２記載の空調用吹出口。
【請求項４】
上記吹出口ボックス内面に、吸音材を貼付したことを特徴とする請求項１，２または３記載の空調用吹出口。
【発明の詳細な説明】
【技術分野】
【０００１】
この発明は、体育館や多目的ホールなどの大空間の空調を行うために、天井にはめ込み設置される空調用吹出口に関する。
【背景技術】
【０００２】
従来、体育館や多目的ホールなどの多数の人が集まる大空間では、冬季の寒冷時であっても室内空間の気温はかなり高くなる場合がある。そのため、冷房装置は、年間を通じて稼働している。そして、一般に天井部分に空調の吹出口が設けられており、この空調の吹出口は、図９に示すように、天井１４に形成された取付穴１５に、下方が開放した吹出口ボックス１２が取り付けられている。この吹出口ボックス１２には、風向調整用の細長いベーン２０が互いに直角の２方向に設けられた吹出部１０が設けられ、各ベーン２０が角度調節可能に取り付けられたＶＨ型の吹出口を形成している。また、吹出口ボックス１２は、施工性や納まりを良くするため、給気ダクト１６から伸びたダクト１８と箱体の接続は、吹出口ボックス１２の側面にダクト１８が接続される構造が一般的である。そして、吹出部１０から吹き出す空気は、水平方向４方向に向けて配置された各ベーン２０により、風向に指向性が加えられ、給気ダクト１６から送り込まれた空気は、吹出口ボックス１２を経て、室内空間に吹き出す。
【０００３】
また、この吹出口ボックス１２の吹出口の形状は、ＶＨ型の他に、円錐や角錐形状のガイド面を複数同心的に設けて拡散性を持たせたディフューザ型吹出口もある。そのほか、特許文献１では、吹出口の吹出方向、吹出風量を調節可能な形状及び構成のディフューザ型吹出口が開示されている。また、特許文献２では、天井面との補完関係が得られなくても、水平拡散流を独自に発生させて、吹出口から効率よく風を拡散できるとする多層コーン構造のアネモ型吹出口が開示されている。
【特許文献１】特開２００２−３７２２９４号公報
【特許文献２】特開平１１−２２３３７８号公報
【発明の開示】
【発明が解決しようとする課題】
【０００４】
上記従来の技術のＶＨ型の吹出部を備えた空調用吹出口の場合、ベーンの角度を変えることにより、吹き出す方向を調節できるものであるが、大空間の空調に際しては、拡散性が低く、吹出口の直下と、そうでない場所では、気流や温度が不均一になりやすいものであった。さらに、ベーンの長さが短いため、このような大空間に吹き出す気流に十分な拡散性を持たせるには、低い吹出速度では困難であり、吹出速度を上げる必要がある。しかし、吹出口の吹出速度を上げると、吹出口から騒音が発生する問題があり、冷風吹き出しの際は、吹き出した気流の向きにより皮膚に直接冷気が当たるコールドドラフトがおきる問題もあった。さらに、図９に示すようなＶＨ型の吹出口１０を備える箱体をした吹出口ボックス１２の場合、吹出口１０から吹き出す空気は、互いに直角方向に配置されたベーン２０により指向性が加えられるものであるが、給気ダクト１６が位置する側面の反対方向に偏って風が吹き出るため、拡散性に問題があった。
【０００５】
この問題は、吹出口の形状がディフューザ型であっても、上記と同様に発生するものであった。また、大空間の空調を行う吹出口は、１個あたりの吹出風量が大きい方が効率よく空調できるが、ディフューザ型の吹出口の一般的な既製品の大きさは、大きなもので直径５０ｃｍ〜６０ｃｍである。そのため、大空間の室内に小型の多数のディフューザ型吹出口を使用すると、コストや天井の構造にも影響がでるため、一般的ではないものである。
【０００６】
その他、特許文献１では、吹出口に備えた複数の開度調節可能な羽根により吹出方向と吹出風量を任意に設定可能な空調用吹出口を開示している。しかし、特許文献１に開示された空調用吹出口は、一般的な住居を想定したサイズである。そのため、大空間の空調に使用すると、多数の吹出口を設けなければならず、天井の構造も複雑になりコストがかかるものであり、効率も良くないものである。また、サイズを大きくして大空間の天井に設置するには、その構造から重量が問題になるほか、高い位置にある天井に設置するため、設置後の調整は容易でなく、大空間に効率よく気流が行き渡るように拡散性を持たせるには、調整作業が困難である。
【０００７】
また、特許文献２の空気調和設備用吹出口では、天井に設ける箱体に多層コーンのアネモ型の吹出口を一体に形成したものであり、天井材がなくても吹出気流は室内空気を誘引混合して水平拡散流を発生し、効率的な冷房が可能としている。しかし、大空間に対処し、吹き出す空気に拡散性を持たせるには、低い吹出速度では困難であり、吹出速度を上げる必要がある。しかし、吹出口の風速・風量を上げた場合、吹出口から発生する騒音が問題となる。
【０００８】
この発明は、上記従来技術の問題点に鑑みて成されたもので、大空間でも気流の拡散性に優れ、空調効率が良く、吹出口で騒音の低減を図った空調用吹出口を提供することを目的とする。
【課題を解決するための手段】
【０００９】
この発明は、室内空間の天井に設置され直方体状に形成された吹出口ボックスが設けられ、前記吹出口ボックスの一側面に形成されたダクト接続部と、前記吹出口ボックスの下面に位置した吹出部と、前記ダクト接続部と対面する位置で前記吹出口ボックス内部を部分的にほぼ前記吹出部から分割した鉛直気流調整板と、前記鉛直気流調整板に分割されたそれぞれの気流方向を偏向するとともに前記鉛直気流調整板を挟んで互いに対称に各々複数枚配置されたガイドベーンと、前記吹出口ボックスのダクト接続部下方の内周壁面に形成され前記ガイドベーンの外側近傍に位置した水平気流調整板とを備えた空調用吹出口である。
【００１０】
さらに、前記吹出口ボックスを複数のゾーンに仕切った仕切り板を備え、各ゾーン毎に前記ダクト接続部が設けられ、このダクト接続部に給気用のダクトが接続されたものである。また、前記吹出口ボックスの吹出部内側の一対の角部に、前記ガイドベーンと平行に、前記ガイドベーンからの気流を側方にガイドする偏向板を備えたものである。さらに、上記吹出口ボックス内面に、吸音材を貼付しても良い。
【発明の効果】
【００１１】
この発明の空調用吹出口によれば、吹出速度が小さくても空気の拡散性に優れ、効率が良く、吹出口での騒音の低減を図ることができる。これにより、大空間であっても効率良く均一な空調を可能とし、施工コストも抑えることができる。
【発明を実施するための最良の形態】
【００１２】
以下、この発明の空調用吹出口の一実施形態について、図１〜図８を基にして説明する。この実施形態の空調用吹出口は、体育館や多目的ホールなどの室内大空間の空調を行うために、図５に示すように、天井１４に設けられた取付穴１５に取付けられて使用するものである。
【００１３】
まず、この実施形態の空調用吹出口３０の構造について説明する。この空調用吹出口３０は、図１に示す断面を持った、金属製の箱体の吹出口ボックス３２により形成され、図３に示すように、吹出口ボックス３２の内部が、仕切板３６により長手方向に３つの各ゾーン３４に均等に分割されている。仕切板３６により分割された各ゾーン３４には、１つのゾーン３４に給気ダクト１６から延びたダクト１８が１本ずつ接続されている。この仕切板３６で分割されたそれぞれのゾーン３４の内部は、図１、図２に示すように、一側面には円形に開口したダクト接続用の開口部であるダクト接続部３８を備え、そのダクト接続部３８の周囲に、ダクト１８を留めねじ４０により留めるダクト取付部４２を備える。
【００１４】
この吹出口ボックス３２の下面は開口し、吹出部４４が設けられている。吹出部４４の全周にあたる吹出口ボックス３２の側面下端部は、Ｌ字状に外側に折り曲げ加工され、額縁４６が形成されている。そして、吹出口ボックス３２の下面には、その額縁４６の突当面４８と対面して密着するように、カバー部材５６が取り付けられている。カバー部材５６は、周縁部の溝にゴム等のパッキン５０を備えた嵌合部５２とパンチング孔が多数形成された平板５４とが一体化され、吹出部４４を覆う状態に取付けられる。
【００１５】
カバー部材５６の取り付けは、吹出口ボックス３２の吹出部４４の内側に嵌合部５２の内側嵌合片５２ａが嵌合し、内側嵌合片５２ａに備えられた留め金具５８と、吹出口ボックス３２側面内側の下部に設けられた受け金具６０を対向させて、取付ねじ６２により取り付けられている。このカバー部材５６の嵌合部５２と平板５４が形成する角部６４に沿って、平板５４に対して適宜な角度の面を有したガイド部６６を内側に備えた偏向板６８が取り付けられている。偏向板６８のガイド部６６は、吹出部４４の内側中心方向を向いている。
【００１６】
吹出口ボックス３２内部のそれぞれのゾーン３４には、図２に示すように、ダクト接続部３８の下端近傍の吹出口ボックス３２内側に、適宜な幅で後述するガイドベーン７８を水平方向に囲むように水平気流調整板７０が、水平方向全周に取り付けられている。そして、図４（ａ）に示すように、ダクト接続部３８が設けられた側面に平行であり、ダクト接続部３８のちょうど中間付近の高さに位置するところから、吹出口ボックス３２内部を前後に２分割する位置に、鉛直気流調整板７２が設けられている。この鉛直気流調整板７２は、カバー部材５６に対して所定の隙間を空けて垂直方向に対向している。この鉛直気流調整板７２は、留め代７４により、吹出口ボックス３２の長手方向両端部の側面内側及び仕切板３６に取付ねじ７６にて取り付けられている。
【００１７】
この鉛直気流調整板７２で分割されたそれぞれの空間の水平気流調整板７０の下方には、平板状のガイドベーン７８が、それぞれの空間に３枚、下方に広がり方向の適宜な傾きを付加し等間隔に取付けてある。このガイドベーン７８は、鉛直気流調整板７２を中心に相対する位置にあり、３つのゾーン３４に貫通状態に位置し、仕切板３６の下端部のスリットに嵌合している。そして、留め代８０により、吹出口ボックス３２の内側及び仕切板３６に取付ねじ８２により取付けられている。このガイドベーン７８のうち、鉛直気流調整板７２側の第一ガイドベーン７８ａ及び第二ガイドベーン７８ｂは、図１、図４（ｂ）に示すように、短手方向の下端部を適宜な幅で外側広がり方向に僅かに折り曲げられて、折曲部８４が形成されている。第三ガイドベーン７８ｃは、図１、図４（ｃ）に示すように、第一ガイドベーン７８ａ、第二ガイドベーン７８ｂよりカバー部材５６との間隔が広くとられている。
【００１８】
次に、この実施形態の空調用吹出口３０の施工について説明する。図２、図３に示すように、吹出口ボックス３２の外側長手方向端部付近で、上面と両側面の境界近傍の４箇所に、吊り金具８６を備える。図５に示すように、この吊り金具８６に、吊り材８８の一方の端部を取付け、他方の端部を、建物の構造材９０にナット９２または挟着金具９４にて鉄骨材９６の端部に固定し、吊着する。そして、給気ダクト１６と吹出口ボックス３２のダクト取付部４２をダクト１８で接続し、天井１４の取付穴１５に、吹出口ボックス３２とカバー部材５６を取り付けるものである。
【００１９】
次に、この空調用吹出口３０の機能及び吹出状態について説明する。まず、給気ダクト１６からダクト１８を通った気流は、図６に示すように、吹出口ボックス３２それぞれのゾーン３４のダクト接続部３８から気流が流れ込み、鉛直気流調整板７２により２つの気流に分割される。分割された気流は、各ガイドベーン７８の間を通過して吹出部４４へ向かう。この際に、吹出口ボックス３２内側側面付近の気流は水平気流調整板７０により、中心側に指向性が加わり、ガイドベーン７８に向かう気流に合流する。そして、ガイドベーン７８の間を通過すると、気流に指向性が加えられる。また、吹出口ボックス３２端部での気流は、吹出部４４から吹き出す気流に偏向板６８のガイド部６６に沿って斜め方向の指向性が加えられる。吹出部４４から吹き出した気流は、図７に示すように、曲線Ａで示す指向性を持って吹出口ボックス３２を中心に、吹出口ボックス３２短手方向へほぼ左右対称に吹き出すものである。
【００２０】
この実施形態の空調用吹出口３０によれば、大空間の空調であって、吹出速度を下げても、空気の拡散性に優れるため効率が良く、吹出部４４の騒音を低減することができる。また、ダクト１８を側面に接続しても、吹出気流の偏りを少なくすることができるものである。
【００２１】
また、図８に示すように、吹出口ボックス３２の仕切板３６を除く内側面にグラスウールなどの吸音材９８を貼着することにより、より気流及び吹出騒音の低減が可能になるものである。
【００２２】
なお、この発明の空調用吹出口は上記実施形態に限定されるものではなく、ガイドベーンの形状は、平板に折曲げ加工を加える他に、曲線を描く羽根型に形成しても良く、これにより一層の気流調整効果が得られ正確な指向性が発揮される。
【００２３】
さらに、ガイドベーン及び鉛直調整板の固定は、ねじ止めのほか、溶接などしっかりと固定できる方法であれば適宜選択可能である。また、ゾーン３４を数個連結することも可能である。
【図面の簡単な説明】
【００２４】
【図１】この発明の一実施形態の空調用吹出口の構造を示す概略縦断面図である。
【図２】この実施形態の空調用吹出口へのダクトの接続を示す概略斜視図である。
【図３】この実施形態の空調用吹出口の給気ダクトとの接続状態を示す概略斜視図である。
【図４】この実施形態の空調用吹出口内部のガイドベーン取付状態を示すもので、図１のＡ−Ａ断面図（ａ）、Ｂ−Ｂ断面図（ｂ）、Ｃ−Ｃ断面図（ｃ）である。
【図５】この実施形態の空調用吹出口の取付状態を示す概略縦断面図である。
【図６】この実施形態の空調用吹出口内部の空気の通過状態を示す概略縦断面図である。
【図７】この実施形態の空調用吹出口から出る気流の方向を示す概略縦断面図である。
【図８】この実施形態の空調用吹出口に吸音材を貼着した例を示す概略縦断面図である。
【図９】従来の空調用吹出口の構造を示す概略縦断面図である。
【符号の説明】
【００２５】
１４  天井
１８  ダクト
３０  空調用吹出口
３２  吹出口ボックス
３４  ゾーン
３６  仕切板
３８  ダクト接続部
４４  吹出部
５６  カバー部材
６６  ガイド部
６８  偏向板
７０  水平気流調整板
７２  鉛直気流調整板
７８ａ，７８ｂ，７８ｃ  ガイドベーン
８４  折曲部
【図１】
2006145117.tif 000003
【図２】
2006145117.tif 000004
【図３】
2006145117.tif 000005
【図４】
2006145117.tif 000006
【図５】
2006145117.tif 000007
【図６】
2006145117.tif 000008
【図７】
2006145117.tif 000009
【図８】
2006145117.tif 000010
【図９】
2006145117.tif 000011